(57)【要約】【課題】簡単且つ安価でな吊り下げ陳列用製品包装ケースを提供する。【解決手段】前記長辺側係止片の先端係止片の先端には係止突部を備え，前記長辺側舌片は，中間舌片と吊り下げ孔を形成した先端舌片とからなり，前記中間舌片と先端舌片とは連結部において一体成形され，当該連結部間には舌片を貫通する切り込みが形成されており，一対の短辺側舌片を折り曲げ線で内方向に折り曲げた後，前記長辺側舌片の中間舌片を折り曲げ線にで内方向に折り曲げ，且つ，連結部を折り曲げ線として，中間舌片と先端舌片とが略Ｌ字形状に前記先端舌片を外方向に折り曲げて前記開口部を閉じ，先端係止片を折畳線に沿って内方向に折畳みながら，先端舌片を中間係止片と先端係止片とで挟み込み，前記先端係止片の先端に備えた係止突部を，前記長辺側舌部に形成した切り込みに外方向から挿入して係止する。【選択図】  図１
2005306416.tif 000002
【特許請求の範囲】
【請求項１】
少なくとも一端に開口部を備え箱状に形成した物品収納部と，
前記開口部の両短辺端から折り曲げ線を介して外方向に延設された短辺側舌片と，
その長辺の一方側に連続して外方向に延設され，少なくとも先端係止片と中間係止片と，当該各係止片が相互に重なるように内方向に折畳み可能な折畳線と，前記先端係止片と中間係止片とが相互に重なった時に，相対向した位置に配設される吊り下げ陳列用フックを挿入可能な吊り下げ孔とを備えた長辺側係止部と，
前記開口部の他方の長辺側に折り曲げ線を介して外方向に延設され，前記開口部を封鎖可能にした長辺側舌片と，
からなり，前記係止部によって吊り下げ陳列用フックに吊り下げ陳列可能な製品包装ケースにおいて，
前記長辺側係止部の先端係止片の先端には係止突部を備え，
前記長辺側舌片は，中間舌片と吊り下げ陳列用フックを挿入可能な吊り下げ孔を形成した先端舌片とからなり，前記中間舌片と先端舌片とは少なくとも当該各舌片の両端部と略中央部における連結部において一体成形されると共に，当該連結部間には舌片を貫通する切り込みが形成されており，前記一対の短辺側舌片を前記折り曲げ線に沿って内方向に折り曲げた後，前記長辺側舌片の中間舌片を折り曲げ線に沿って内方向に折り曲げ，且つ，前記連結部を折り曲げ線として，前記中間舌片と前記先端舌片とが略Ｌ字形状となるように前記先端舌片を外方向に折り曲げることで前記開口部を閉じた状態で，
前記先端係止片を前記折畳線に沿って内方向に折畳みながら，前記先端舌片を，前記中間係止片と先端係止片とで挟み込み，且つ，前記先端係止片の先端に備えた係止突部を，前記長辺側舌片に形成した切り込みに外方向から挿入して係止することを特長とした吊り下げ陳列用製品包装ケース。
【請求項２】
少なくとも，前記中間係止片と，当該係止片と連続した物品収納部の一端の内面側に当接し，前記長辺側舌片と前記長辺側係止部とを係止するときに，前記中間係止片と前記先端舌片に挟み込まれると共に，前記長辺側舌片と前記長辺側係止部に形成した挿通孔と相対向する位置に，吊り下げ陳列用フックを挿入可能な吊り下げ孔を有する補強部材を備えたことを特長とした請求項１に記載の吊り下げ陳列用製品包装ケース。
【請求項３】
前記ケースは合成樹脂材料から形成されたことを特長とした請求項１又は請求項２に記載の吊り下げ陳列用包装ケース。
【請求項４】
前記補強部材は板紙材料からなり，当該補強部材に印刷を施したことを特徴とした請求項３に記載の吊り下げ陳列用包装ケース。
【発明の詳細な説明】
【技術分野】
【０００１】
本発明は，製品陳列用の前方に突出するフックに吊り下げて陳列する包装ケースに関するものである。
【背景技術】
【０００２】
従来の吊り下げ陳列用製品包装ケースは，少なくとも一端に開口部を備え箱状に形成した物品収納部と，前記開口部の両短辺端から折り曲げ線を介して外方向に延設された短辺側舌片と，その長辺の一方側に連続して外方向に延設され，少なくとも先端吊り下げ部と中間吊り下げ部と，当該各吊り下げ部が相互に重なるように内方向に折畳み可能な折畳線と，前記先端吊り下げ部と中間吊り下げ部とが相互に重なった時に，相対向した位置に配設される吊り下げ陳列用フックを挿入可能な吊り下げ孔とを備えた長辺側吊り下げ部と，前記開口部の他方の長辺側に折り曲げ線を介して外方向に延設され，前記開口部を封鎖可能にした長辺側舌片と，からなり，前記折畳線で折り曲げて二重として強度をもたせた前記吊り下げ部によって，吊り下げ陳列用フックに吊り下げ陳列するようにしていた。
（例えば，特許文献１，図８の従来例参照）
また，前記吊り下げ部から側面以外の各面が連続して形成すると共に，前吊り下げ部と後吊り下げ部とを糊付することによりパッケージ形成して，側面の広い開口部から製品の入れ出しがスムーズにできる吊り下げ陳列用製品包装ケースが提示されている。
（例えば，特許文献１参照）
【０００３】
【特許文献１】特開平７−２２３６３１号公報
【発明の開示】
【発明が解決しようとする課題】
【０００４】
しかし，従来の吊り下げ陳列用製品包装ケースによれば，強度をもたせるために吊り下げ部を折り返して二重となるように構成しているが，その吊り下げ部が形成された長辺と対向する位置にある長辺に形成され，商品の取り出し口を封鎖するための舌辺は，前記吊り下げ部の内側の開口部にその先端部を挿入係止するだけであったので，例えば，陳列用ケースのフックに装着してからの時間経過や，重量のある製品を収納した時には，前記吊り下げ部と当該吊り下げ部に連続する物品収納部の長辺部に製品の重量が常に加わることになり，吊り下げ部の下部や長辺部がストレスによって湾曲してしまい，前記舌片先端部との間に隙間が開いてしまって製品の外観が見栄えを損なうといった問題があった。
【０００５】
また，上述の例のように，吊り下げ部から側面以外の各面が連続して形成されると共に，前吊り下げ部と後吊り下げ部とを糊付することによりパッケージ形成して，側面の広い開口部から製品の入れ出しがスムーズにできるよう構成された吊り下げ陳列用製品包装ケースでは，前記前吊り下げ部と連続的に物品収納部の上部を封鎖する端面が一体形成されているので，製品の荷重は前記端面にも力を分散されて強度が強くなり，且つ，隙間が開いしまうこともないのであるが，前吊り下げ部と後吊り下げ部を糊付けする必要が生じ，製造工程が複雑となり，延いてはコストアップの要因となっていた。
そこで本願においては，こうした問題点を解決するためになされたものであり，
その目的は，吊り下げが強い吊り下げ陳列用製品包装ケースを提供することにある。
他の目的は，簡単な構成で安価に且つ信頼性の高い吊り下げ陳列用製品包装ケースを提供することにある。
他の目的は，収納した製品自体の荷重による包装ケースの変形のない吊り下げ陳列用製品包装ケースを提供することにある。
【課題を解決するための手段】
【０００６】
請求項１の発明は，少なくとも一端に開口部を備え箱状に形成した物品収納部と，前記開口部の両短辺端から折り曲げ線を介して外方向に延設された短辺側舌片と，その長辺の一方側に連続して外方向に延設され，少なくとも先端係止片と中間係止片と，当該各係止片が相互に重なるように内方向に折畳み可能な折畳線と，前記先端係止片と中間係止片とが相互に重なった時に，相対向した位置に配設される吊り下げ陳列用フックを挿入可能な吊り下げ孔とを備えた長辺側係止部と，前記開口部の他方の長辺側に折り曲げ線を介して外方向に延設され，前記開口部を封鎖可能にした長辺側舌片と，からなり，前記係止部によって吊り下げ陳列用フックに吊り下げ陳列可能な製品包装ケースにおいて，前記長辺側係止部の先端係止片の先端には係止突部を備え，前記長辺側舌片は，中間舌片と吊り下げ陳列用フックを挿入可能な吊り下げ孔を形成した先端舌片とからなり，前記中間舌片と先端舌片とは少なくとも当該各舌片の両端部と略中央部における連結部において一体成形されると共に，当該連結部間には舌片を貫通する切り込みが形成されており，前記一対の短辺側舌片を前記折り曲げ線に沿って内方向に折り曲げた後，前記長辺側舌片の中間舌片を折り曲げ線に沿って内方向に折り曲げ，且つ，前記連結部を折り曲げ線として，前記中間舌片と前記先端舌片とが略Ｌ字形状となるように前記先端舌片を外方向に折り曲げることで前記開口部を閉じた状態で，前記先端係止片を前記折畳線に沿って内方向に折畳みながら，前記先端舌片を，前記中間係止片と先端係止片とで挟み込み，且つ，前記先端係止片の先端に備えた係止突部を，前記長辺側舌片に形成した切り込みに外方向から挿入して係止するように構成される。
【０００７】
請求項２の発明は，少なくとも，前記中間係止片と，当該係止片と連続した物品収納部の一端の内面側に当接し，前記長辺側舌片と前記長辺側係止部とを係止するときに，前記中間係止片と前記先端舌片に挟み込まれると共に，前記長辺側舌片と前記長辺側係止部に形成した挿通孔と相対向する位置に，吊り下げ陳列用フックを挿入可能な吊り下げ孔を有する補強部材を備える。
【０００８】
請求項３の発明は，請求項１又は請求項２に記載の吊り下げ陳列用包装ケースにおいて，前記ケースは合成樹脂材料から形成される。
【０００９】
請求項４の発明は，請求項３に記載の吊り下げ陳列用製品包装ケースにおいて，前記補強部材は板紙材料からなり，当該補強部材に印刷を施した。
【発明の効果】
【００１０】
請求項１の発明によれば，少なくとも一端に開口部を備え箱状に形成した物品収納部と，前記開口部の両短辺端から折り曲げ線を介して外方向に延設された短辺側舌片と，その長辺の一方側に連続して外方向に延設され，少なくとも先端係止片と中間係止片と，当該各係止片が相互に重なるように内方向に折畳み可能な折畳線と，前記先端係止片と中間係止片とが相互に重なった時に，相対向した位置に配設される吊り下げ陳列用フックを挿入可能な吊り下げ孔とを備えた長辺側係止部と，前記開口部の他方の長辺側に折り曲げ線を介して外方向に延設され，前記開口部を封鎖可能にした長辺側舌片と，からなり，前記係止部によって吊り下げ陳列用フックに吊り下げ陳列可能な製品包装ケースにおいて，前記長辺側係止部の先端係止片の先端には係止突部を備え，前記長辺側舌片は，中間舌片と吊り下げ陳列用フックを挿入可能な吊り下げ孔を形成した先端舌片とからなり，前記中間舌片と先端舌片とは少なくとも当該各舌片の両端部と略中央部における連結部において一体成形されると共に，当該連結部間には舌片を貫通する切り込みが形成されており，前記一対の短辺側舌片を前記折り曲げ線に沿って内方向に折り曲げた後，前記長辺側舌片の中間舌片を折り曲げ線に沿って内方向に折り曲げ，且つ，前記連結部を折り曲げ線として，前記中間舌片と前記先端舌片とが略Ｌ字形状となるように前記先端舌片を外方向に折り曲げることで前記開口部を閉じた状態で，前記先端係止片を前記折畳線に沿って内方向に折畳みながら，前記先端舌片を，前記中間係止片と先端係止片とで挟み込み，且つ，前記先端係止片の先端に備えた係止突部を，前記長辺側舌部に形成した切り込みに外方向から挿入して係止するように構成したので，簡単な構造で且つ安価で，特別な生産工程を必要としなくても，フック等への設置状態において，変形に強い吊り下げ陳列用製品包装ケースが提供できる。
【００１１】
請求項２の発明によれば，少なくとも，前記中間係止片と，当該係止片と連続した物品収納部の一端の内面側に当接し，前記長辺側舌片と前記長辺側係止部とを係止するときに，前記中間係止片と前記先端舌片に挟み込まれると共に，前記長辺側舌片と前記長辺側係止部に形成した挿通孔と相対向する位置に，吊り下げ陳列用フックを挿入可能な吊り下げ孔を有する補強部材を備えたので，簡単な構造で，特別な生産工程を必要としなくても，フック等への設置状態において，更に変形に強い吊り下げ陳列用製品包装ケースが提供できるもである。
【００１２】
請求項３の発明によれば，請求項１又は請求項２に記載の吊り下げ陳列用包装ケースにおいて，前記ケースは合成樹脂材料から形成されているので, 汚れがつきにくい外観の綺麗な吊り下げ陳列用製品包装ケースを提供できる。
【００１３】
請求項４の発明の発明によれば，請求項３に記載の吊り下げ陳列用製品包装ケースにおいて，前記補強部材は板紙材料からなり，当該補強部材に印刷を施したので，特に前記包装ケースを透明な合成樹脂材料で作成すれば，汚れがつきにくく，前記補強材に取り扱い説明や製品の型式，特長，性能等を表示が自在にできることから，意匠的にも外観てきにも優れた吊り下げ陳列用製品包装ケースを提供できる。
【発明を実施するための最良の形態】
【００１４】
以下に，本発明を具体化した実施形態の例を，図面を基に詳細に説明する。
図１は本願の実施例における吊り下げ陳列用製品包装ケースの展開図である。図２，図３は本願の実施例における吊り下げ陳列用製品包装ケースを形成する説明図である。図４は本願の吊り下げ陳列用製品包装ケースの重心位置を説明する側面図である。図５は本願の吊り下げ陳列用製品包装ケースをフックに吊り下げた時の斜視図である。図５に示す補強材の概略斜視図である。図７は本願の他の実施例である。
【実施例１】
【００１５】
図１を用いて本願の吊り下げ陳列用製品包装ケース部材１の各部の説明を行う。
本願の包装ケース用部材は，例えば０．２〜０．８ｍｍ程度の合成樹脂材料（例えばＰＥＴ）を用いて図１に示すような形状に形成されている。図において２は前面，３は後面，４は側面，５は底面，８は糊代，９は短辺側舌片，１０は長辺側舌片，２０は長辺側係止部であり夫々折り曲げ線で区切られて一体的に形成されている。
底面５は，舌片５ａ，５ｂ，５ｃ，５ｄの各舌片からななる。
長辺側舌片１０は，前面２に折り曲げ線を介して連続して外方向に延設された中間舌片１１と，吊り下げ陳列用フックを挿入可能な吊り下げ孔１６を形成した先端舌片１２とからなり，前記中間舌片１１と先端舌片１２とは，少なくとも当該各舌片の両端部と略中央部における連結部１４，１４，１４において一体成形されていると共に，当該連結部間には舌片を貫通する切り込み１５，１５が形成されている。また，前記先端舌片１２には，吊り下げ陳列用フックを挿入可能な吊り下げ孔１６が形成されている。
【００１６】
長辺側係止部２０は，後面３に連続して外方向に延設された中間係止片２１と，当該中間係止片２１に延設して所定の幅を有して形成された折畳線２３と，これに連続して設けた先端係止片２２と，前記先端係止片の先端に形成された係止突部２４，２４とからなる。この先端突部２４は，前記長辺側舌片１０に形成された切り込みに対応する位置と幅になるように形成されている。
また，長辺側係止部２０には，前記折畳線２３に沿って前記先端係止片２２を内側方向に折畳んだときに，前記先端係止片２２と中間係止片２１との相対向する位置に，吊り下げ陳列用フックを挿入可能な吊り下げ孔２５ａ，２５ｂが形成されている。
尚，本願の吊り下げ陳列用製品包装ケース部材１の各部はパッケージ内への折り込みが行い易いように，夫々の幅が決められている。
【００１７】
このように構成された吊り下げ陳列用製品包装ケース部材１を用いて吊り下げ陳列用製品包装ケースを形成するためには，先ず前面２，後面３，側面４，４を折り曲げ線に沿って折り曲げ，前記糊代８と糊代の無い側の側面４と接着剤等で糊付けする。
次に，底面は舌片５ａ，５ｂ，５ｃ，５ｄを折り曲げと重ね合わせによって周知の所謂地獄底タイプの底面として組み付けられる。これによって上部には短辺側舌片９，９と長辺側舌片１０と長辺側係止部２０とに囲まれて開口部７が形成されている。図２にこの状態の包装ケースの斜視図を示す。
【００１８】
次に図３を用いて長辺側舌片１０と長辺側係止部２０の組付けについて説明する。先ず一対からなる短辺側舌片９，９を折り曲げ線に沿って内方向に折り曲げた後，前記長辺側舌片１０の中間舌片１１を折り曲げ線に沿って内方向に折り曲げつつ，前記連結部１４，１４，１４の軸線上にある折り曲げ線１３に沿って，前記中間舌片１１と前記先端舌片１２とが略Ｌ字形状となるように前記先端舌片１２を外方向に折り曲げる。そして開口部７を封鎖するように，更に前記中間舌片１１を前記短辺側舌片側に折り曲げる。このときの様子を図３（ａ）〜（ｂ）に示す。
次に図（ｂ）〜（ｃ）に示すように，前記先端係止片２２を前記折畳線２３に沿って内方向に折畳みながら，前記先端舌片１２を，前記中間係止片２１と先端係止片２４とで挟み込む。このとき前記吊り下げ孔１６と吊り下げ孔２５ａ，２５ｂとは相対向した位置に配設され，吊り下げ陳列用フックを挿入することに問題ないように構成されている。
次に図（ｃ）〜（ｄ）に示すように，前記先端係止片２２の先端に備えた係止突部２４を，前記長辺側舌片に形成した切り込みに外方向から挿入して係止する。
このように本願の実施例によれば，長辺側係止部２０の中間係止片２１と先端係止片２２と，これらの間に挟み込まれてなる前記先端舌片１２とで三重構造の吊り下げ部が構成されることになる。
【００１９】
次に，本願の吊り下げ部について更に詳細に説明する。図４は本願の吊り下げ陳列用製品包装ケースをフックに挿入して吊り下げた時の側面から見た図を示す。この図においてＧは重心の位置を示す。
この図に示すように，本願の係止部は後面３に延設されて構成されているため，製品の重心は吊り下げ部よりやや前方寄りに配設されることになる。これによって，この包装ケースをフックに吊り下げた状態において，重量物であればあるほど，また，ケースの厚みが大きいほど，重心Ｇの位置の関係で，ケースが前傾した状態で吊り下げられることになる。この状態で吊り下げ部には鉛直方向に力が加わることになり，この実施例において力は，ケースの後面３方向と，上面１１の面方向に分散されて加わることになる。
従来の吊り下げ部の構成で吊り下げたとすると，上述の吊り下げる力（所謂，製品と包装ケースの重量）やこの力が継続的に加わることによる経時変化によって，係止部が変形（例えば湾曲する。）してしまい，長辺側舌片の先端舌片と係止部との間に隙間ができてしまい，製品としての外観が損なわれることになってしまう。
【００２０】
そこで本願は，後面３に連続して外方向に延設された中間係止片２１と，当該中間係止片２１に延設して所定の幅を有して形成された折畳線２３と，これに連続して設けた先端係止片２２と，前記先端係止片の先端に形成された係止突部２４，２４とからなる長辺側係止部２０を内方向に折畳み，且つ，このときに物品収納部の開口部７を封鎖可能で，前記係止部２０が形成された開口部７の反対側の長辺に設けられた長辺側舌片１０の先端舌片１２を，前記先端係止片２２と前記中間係止片２１とで挟み込むと同時に，前記係止部２０の先端に形成した先端突部２４を，前記長辺側舌片１０に形成した切り込み１５に挿通係止することによって，前記長辺側舌片１０と前記長辺側係止部２０とが固着されることで，吊り下げ部は三重の構成となると共に，前記長辺側舌片１０と前記長辺側係止部２０とが確実に着脱自在に固着されることによって，係止部に加わる力が吊り下げ部を変形させることを防ぎ，簡単な構成で且つ生産工程に特別な設備も必要の無い，吊り下げ陳列用製品包装ケースを提供できるのである。
【００２１】
尚，少なくとも，前記物品収納部の後面３の内面側に配設されて，その延設部分が前記吊り下げ部の前記先端舌片１２と前記中間係止片２１との間に介設させるようにした補強材２８を備えさせて，前記長辺側舌片１０と前記長辺側係止部２０とを固着することによって，更に吊り下げ部の補強が可能となる。  
更に，本願の実施例１に示すケース部材１には各種表示を直接印刷しても良いし，特に透明材料を用いてケース部材１を形成し，収納された物品の型式名や取扱説明，特長等を印刷した板紙等からなる補強材２８を備えさせることによって，外観的にも強度的にも優れた吊り下げ陳列用製品包装ケースを提供できるのである。この実施例によって出来上がった包装ケースの使用状態を図５に，補強材２８の概略斜視図を図６に示す。
【実施例２】
【００２２】
次に本発明の第２の実施形態を説明する。尚，以下の説明では，上記第１の実施形態の吊り下げ陳列用製品包装ケースと同様の構成要素については同一符号を付与し，詳細な説明は省略する。
【００２３】
この実施例は，前記吊り下げ陳列用製品包装ケース部材１を板紙材料で構成したものである。この構成も前記実施例同様の構成から構成できる。この実施例によって出来上がった包装ケースの使用状態を図７に示す。尚，この図において２８は任意の場所に設けた窓であり，包装ケースに収納した物品を外部から見られるようにするためのものである。
【００２４】
このように，本願の実施例によれば，簡単な構造で安価に，且つ，特別な生産工程や生産機械を導入することなく，陳列ケースのフックに吊り下げた状態において，重量物であっても，包装ケースの厚みが大きくとも，また吊り下げてからの時間経過が長くても，吊り下げ部に塑性変形を起すことが無い，外観上優れた吊り下げ陳列用製品包装ケースを提供できるのである。
尚，本発明は上記実施の形態に限定されるものではなく，本発明の趣旨を逸脱しない範囲で各部構成を適宜に変更して実施することも可能である。
【図面の簡単な説明】
【００２５】
【図１】本願の実施例における吊り下げ陳列用製品包装ケースの展開図である。
【図２】本願の実施例における吊り下げ陳列用製品包装ケースを形成する説明図である。
【図３】本願の実施例における吊り下げ陳列用製品包装ケースを形成する説明図である。
【図４】本願の吊り下げ陳列用製品包装ケースの重心位置を説明する側面図である。
【図５】本願の吊り下げ陳列用製品包装ケースをフックに吊り下げた時の斜視図である。
【図６】本願の吊り下げ陳列用製品包装ケースに使用する補強材の実施例を示す概略斜視図である。
【図７】本願の第２の実施例である。
【符号の説明】
【００２６】
１…吊り下げ陳列用製品包装ケース，２…前面，３…後面，４…側面，５…底面，７…開口部，８…糊代，９…短辺側舌片，１０…長辺側舌片，１１…中間舌片，１２…先端舌片，１３…折り返し線，１４…連結部，１５…切り込み，１６…吊り下げ孔，２０…長辺側係止部，２１…中間係止片，２２…先端係止片，２３…折畳線，２４…先端突部，２５…吊り下げ孔，２６…窓，２８…補強材，３０…吊り下げ用フック，
【図１】
2005306416.tif 000003
【図２】
2005306416.tif 000004
【図３】
2005306416.tif 000005
【図４】
2005306416.tif 000006
【図５】
2005306416.tif 000007
【図６】
2005306416.tif 000008
【図７】
2005306416.tif 000009